(57)【要約】      （修正有）【課題】液体を容器から出すとき、整った流れにすることを目的とし、注ぎ口にストローを付ける器具を提供する。【解決手段】ペットボトル等の注ぎ口に本発明の備品をはめ込み、空気孔を作る。備品は、注ぎ口から外れない特徴とストローを挟む特徴を持つ。そして、そのままキャップは閉められる。備品のワニ口がストローの取り外しを可能にし、備品を洗って乾かしたら保管し再度利用する。ストローを捨てることで衛生面は問題ない。【選択図】図５
2005041570.tif 000002
【特許請求の範囲】
【請求項１】
注ぎ口に空気孔を持たせるための簡単な備品で、ストローを接続することによって、主にペットボトルではあるが瓶や１斗缶にも関係し、滑らかにそして速やかに排出させる器具。
【発明の詳細な説明】
【発明の詳細な説明】
【技術分野】
【０００１】清涼飲料水やビール等の液体を注ぎ易くするための器具に関する。その使用方法及び構造である。
【背景技術】
【０００２】ペットボトルの飲み物を注ぐとき、初期状態は乱流気味でつぎが悪い。ペットボトル中にある空気が密度を減らすと、液体は大気に押されるからである。瓶や４リッター缶そして１斗缶も同様である。ある程度分量が減るまで、ゆっくり静かに傾けて空気を入れつつ注ぐか、注ぎ口を上方に置いて吸入される空気と液体が衝突しないように工夫するしかない。とにかく、最初は静かに注がなければならない。
【発明が解決しようとする課題】
【０００３】目的は、容器の封を切った最初でも層流状態にすることである。ボコボコと乱れて注ぎにくいのを解消することが狙いである。容器内の気圧が外の気圧と同じでかつ出るところが小さい穴である限り、流出す
2005041570.tif 000003
での高さ。従って、注ぎ口に空気孔となるストロー付きの備品マウスピースを考
2005041570.tif 000004
て粘性が挙げられる。粘性係数が極端に大きいペンキにいたると与式は成り立たない。備品マウスピースは注ぎ口に挿入され、ストローを挟んでいる。ストローは衛生上から使い捨てとなり、取り外しができる。マウスピースもストローも、中身が無くなるまで、注ぎ口に入れっぱなしでしかもキャップあるいは蓋は閉められるように考慮する。
【０００４】一方、油やペンキみたいに頻繁に持ち運びしない物なら（図９）斜視図の容器でいい。（図９）の形なら、本発明の備品はいらないことになる。
【０００５】また、缶の場合で、洗剤や機械油は空気穴を開けてかまわないが、ペンキや食用油は封を切って使い切れそうもないとなれば、空気穴は作りたくない。何故なら、ペンキにおいては固まったり水が入ったりする恐れがあるし、食用油は酸化が進むので。穴開けをしなければ、４ｌ缶や１斗缶でも本発明のマウスピースは応用できる。空気を導く備品を作るという課題は解決できる。
【課題を解決するための手段】
【０００６】出口である注ぎ口と水面、本当は液面、が同じ条件下では、つまり大気圧であれば、出る速さは重力ｇと高さｈによって決まる。容器内の空間が大気に触れると滑らかに流出することになる。真空中で使うことはないから実際は容器内の空気圧が低くなった瞬開、出る速さは減少してしまう。細い管なら分子間力と下方の液面を押す大気の力が液体に働く重力に勝り、いろいろな要因とつりあったところで液体は落ちてこなくなる。そうならないためにも、空気が入らなければならない。飲料水を注いでいて液体が落ちてこなくなる現象は起きない。それは、容器が十分大きいことと、容器中の気圧が下がり液体が外気圧に押されて上がる前に、液体の分子間力に逆らって空気は泡となって上がり容器に入り込む。
【０００７】よって、流速が減少する瞬間を防ぐために、（図１）斜視図のストローを挟むマウスピースを考えれば、空気の補給はなされ、目的としている滑らかな排出は缶であろうと瓶であろうと成し遂げられる。ペットボトルとかビール瓶とか、物に応じてストローは適度の長さに切り、（図１）の中ほどにある二つの突起物で触手となるワニ口に押し込む。（図４）斜視図となったものをペットボトルの口に入れる。適度の長さとは、注ぎ口から最大径までの長さをいい、寸胴型の容器が一般的で注ぎ口の付け根に向かってすぼまるから、すぼみ始まるところまでの長さである。（図５）斜視図を指す。ストロー側を上にして傾ける。以上の手段で飲料水は静かに流れ出る。
【発明を実施するための最良の形態】
【０００８】本発明のマウスピースは食品にかかわるので、マウスピースの原材料は塩化ビニールであってはならない。（図１）斜視図は合成樹脂で作り、ストローを挟むワニ口（図２）平面図のａを具備する。ワニ口ａの弧はφ５ミリが入るくらいにする。５ミリ以上の太いストローは潰して入れる。細いのは鋏で切って（図６）斜視図のようにすることになる。しかし、ワニ口ａの奥にはさらに突起物があって、鋏で切って加工する必要はないと思われる。（図２）ｂ参照。だいいちストローはφ５ミリくらいが標準で、二連式のストローを使うときは太いほうのφ６．５ミリ側を使えばいい。細いストローを（図６）のようにして折り曲げて太くするのは避けたい。そんな面倒くさいことまでして備品のマウスピースを使う人はいない。備品全体は緩い弧を成し、指の力で丸められる。【０００９】次に、方向が自由に変えられる襞付きのストローが手に入らないとき、普通のストローをライターであぶって曲げる。１斗缶の液体を出したいときは、（図１）の大きめなものを用意し、ストローを直角に曲げて（図８）概念図となる。長さ１８０ミリ弱のストローで、端から数十ミリ行ったあたりを大きく均一にあぶって曲げる。長時間加熱しないことがコツである。要するに、本発明の形態に合ったストローが市販されていないので、ストローは自前である。（図２）平面図において、ペットボトルの口に引っ掛かるところの厚さは１．０ミリ。（図３）立面図において、マウスピースの厚さは０．４ミリとする。
【実施例】
【０００１０】（図７）平面図のｅは弁当の蓋で厚さ０．２ミリのポリエチレン、これを丸めて注ぎ口に入れたら放す。ポリエチレンは広がって落ちない。上に突き出ているのは、実験に際しペットボトルの底に落ちたとき逆さにして拾うためである。結局、落ちることは一度もなかった。（図７）は実験の実物大である。ｆは、紙容器のジュースに付いている二連式のストローで、実験の容器に合わせて切った物。ビール瓶ならｆより２０ミリ長めにして切る。ｇは荷札の針金。きりでｅに穴を開け、針金ｇを通してストローｆを固定させた。
【発明の効果】
【０００１１】空気が入るようにするには（図９）斜視図の容器も考えられるが、頻繁に使うあるいは飲む物においては、（図９）は重心が中央からずれるので指で摘んで運ぶには安定しない。ストローを長くすれば一升瓶に、またマウスピースを大きくすれば一斗缶に応用が利く。いっきにつげるばかりでなく、滑らかな流れを提供しコップに入る量を調節しやすい。入る量が予測できるからあふれてしまう失敗はない。
【０００１２】次に、炭酸飲料は気が抜けてしまうから、備品を外してキャップを固く閉めたい。醤油のペットボトルや缶ビールは注ぎ口に厚みがなくしかも円形でないため、本発明の形態では対処できない。だが、（図１０）斜視図のようなマウスピースなら大丈夫かも知れない。
【図面の簡単な説明】
【図１】斜視図  ペットボトルの口にはめるマウスピース。本発明の備品である。中央部にストローをつけて注ぎ口にはめ込む。
【図２】平面図  注ぎ口に引っ掛かるところは厚さ１．０ミリ。ａはストローを挟むワニ口。ｂは落下防止用の突起物で、φ５ミリ以下のストローでも可能にする。
【図３】立面図  （図２）の正面図で、注ぎ口に入る部分の厚さは０．４ミリ。
【図４】斜視図  （図１）にストローを付けて、注ぎ口にはめ込む直前の図。
【図５】斜視図  （図４）の品をペットボトルに入れた部分図。注ぐ準備は完了である。
【図６】斜視図  ストローの径が小さすぎるときは鋏で図のように加工してワニ口にはめる。このような事態は起きないと思うが。
【図７】平面図  実施のとき作った代替品。実物大。ｅは、コンビニで買った弁当の蓋、厚さ０．２ミリのポリエチレン。ｆは、襞付きの二連式ストローを切った物。ｇは荷札の針金。
【図８】概念図  一斗缶の場合である。注ぎ口には大きめのマウスピースが入り、長めのストローが空間に向かって立っている図。
【図９】斜視図  このような容器については本発明の備品は無用。図に向かって左側を下にしてつぐから、空気は順調に入る。
【図１０】斜視図  醤油のペットボトルあるいは缶ビールに適した備品。（図４）の形式では注ぎ口が薄いため安定しない。
【図１】
2005041570.tif 000005
【図２】
2005041570.tif 000006
【図３】
2005041570.tif 000007
【図４】
2005041570.tif 000008
【図５】
2005041570.tif 000009
【図６】
2005041570.tif 000010
【図７】
2005041570.tif 000011
【図８】
2005041570.tif 000012
【図９】
2005041570.tif 000013
【図１０】
2005041570.tif 000014